(57)【要約】      （修正有）【課題】強固なボディ構造を持ち、使用時においては大きな放熱面積により良好な放熱効果をあげ、処分時には分別リサイクル処理が簡単であるという特徴を持つ改良式パソコンケースの提供。【解決手段】改良式パソコンケースは、相対する天面パネル、底面パネル、前面パネルと背面パネルにより構成される骨格部を含み、その天面パネル、底面パネル、前面パネル及び背面パネルはアルミ材質により製造され、また、その天面パネル、底面パネル、前面パネル及び背面パネルはハンダ固着される。骨格部内部の両側に設置される固定パネルは、アルミ材質で製造、必要なパソコン機器を二つの固定パネル間に設置する。骨格部両側に設置される側面パネルは、少なくとも一枚が骨格部と可動状態で結合し、各側面パネルはアルミ材質で製造する。【選択図】図２
0003120049.tif 000002
【実用新案登録請求の範囲】
【請求項１】
骨格部、二つの固定パネル及び側面パネルから構成された改良式パソコンケースにおいて、
天面パネル、底面パネル、及び天面パネルと底面パネル前後端縁間にそれぞれ設置される前面パネルと背面パネルを含み、それら天面パネル、底面パネル、前面パネル及び背面パネルはアルミ材質により製造されて、それぞれの天面パネル、底面パネル、前面パネル及び背面パネルはハンダ固着されている骨格部と、
骨格部内部の両側に設置され、間には必要なパソコン機器を設置したアルミ材質で製造される固定パネルと、
骨格部両側に設置され、少なくとも一枚は骨格部と可動状態で結合し、アルミ材質で製造される側面パネルとを具えることを特徴とする改良式パソコンケース。
【請求項２】
請求項１記載の改良式パソコンケースにおいて、前記天面パネルの一面には放熱部を具えることを特徴とする改良式パソコンケース。
【請求項３】
請求項２記載の改良式パソコンケースにおいて、前記放熱部は多数の凹凸部により構成されることを特徴とする改良式パソコンケース。
【請求項４】
請求項１記載の改良式パソコンケースにおいて、前記底面パネルの一面には放熱部を具えることを特徴とする改良式パソコンケース。
【請求項５】
請求項４記載の改良式パソコンケースにおいて、前記放熱部は多数の凹凸部により構成されることを特徴とする改良式パソコンケース。
【考案の詳細な説明】
【技術分野】
【０００１】
本考案は、改良式パソコンケースを提案する。特に、比較的強固なボディ構造を持ち、大きな放熱面積で良好な放熱効果をあげ、処分する際分別リサイクル処分が簡単なパソコンケースを提案する。
【背景技術】
【０００２】
ＩＴ産業が一日一日と邁進する中、パソコン関連領域の周辺機器とパーツもまた日進月歩を遂げ、例えば、ハードディスク、マザーボード、ＣＰＵなどの関連機器が、マルチメディアの論理演算に関係して処理するデータ量は日に日に大きくなり、相対して処理速度も益々アップしていることにより、パソコン内部機器や集積回路デバイスの操作温度は過剰アップ、メインボード上のチップさえも作動時温度が非常に高くなってしまう為、適当な時に放熱を行わなければ正常作動に問題を来たし、実行速度が低下したり使用寿命に影響を及ぼすことになる。よって、一般にはこの問題を解決する為に、発熱源機器にヒートシンク及びファンを取り付けている。
【０００３】
一般には、パソコンケースにはフレームを具え、フレームの各面上にはパネル体を設け、並びに、各電子部品及びマザーボードをそのパソコンケース内に収める。マザーボード上にはＣＰＵを、ＣＰＵ上にはヒートシンクを配置し、ヒートシンクはＣＰＵ上に覆うように密着、ヒートシンク上には更にファンを取り付ける。放熱の方法であるが、ＣＰＵ発生の熱源区域に拡大した熱気を、まずヒートシンクが吸収し、ヒートシンク上に取り付けられたファンが風を起こして空気の流れを発生させると、ヒートシンクの熱が四方に流動して放熱効果を達成する。
【０００４】
しかしながら、パソコンケースのフレームと各パネルは、取り外しを簡単にする為に一般にはネジを使用して固着してあり、これにより、パソコンケースの強固性を弱め、揺れ動き易くなってしまう。また、パソコンケース内部は密封空間となっており、マザーボード上のＣＰＵ以外の各パーツも熱を発生するが、パソコン本体ケース内部の密封空間において、熱を本体ケース外に直接にまた完全に排出することは不可能であり、結果、熱は本体ケース内部を循環、ファンはヒートシンク方向に風を送るが、本体ケース内部の空気は既に熱くなっている為、密封空間において繰り返し行われる放熱効果は優れたものとは言えず、完全な放熱効果をあげることはできない。よって通常ＣＰＵの温度過剰を招き、作動効率が低下、パソコンがストップしてしまうこともある。
【０００５】
また、一般のパソコン本体は少なくとも、鉄製フレーム、プラスチックケース、電子デバイスにより構成されており、その素材が皆異なる為、パソコン本体が使用できなくなり処分する際、パソコン本体のフレーム、ケース及び電子デバイスそれぞれを分離して分別リサイクル処理する必要があり、処理の困難及び処理手続きの面倒という問題が起きる。以上のことから、従来のＣＰＵ放熱構造は、実際の需要に応じることが全く不可能であることがわかる。
【考案の開示】
【考案が解決しようとする課題】
【０００６】
本考案の目的は、前述の欠点を解決すべく、ハンダ付けによって天面パネル、底面パネル、前面パネル及び背面パネルを結合して、比較的強固なボディ構造を持つ改良式パソコンケースを提案することにある。
【０００７】
本考案の第二の目的は、アルミ材質によって作成されたパソコンケースが大きな放熱面積で良好な放熱効果をあげる改良式パソコンケースを提案することにある。
【０００８】
本考案の第三の目的は、アルミ材質によって作成されたパソコンケースを処分する場合は、分別リサイクル処理を簡単にする効果をあげる改良式パソコンケースを提案することにある。
【０００９】
本考案の改良式パソコンケースは、天面パネル、底面パネル、前面パネルと背面パネルにより構成される骨格部を含み、その天面パネル、底面パネル、前面パネル及び背面パネルはアルミ材質により作成され、且つ、その天面パネル、底面パネル、前面パネル及び背面パネルはハンダ付けにより固着され、骨格部内部両側に設置される二枚の固定パネルもまたアルミ材質作成であり、その固定パネル間には必要なパソコン機器を設置、また、骨格部両側に設置した二つの側面パネルは、少なくとも一枚の側面パネルが骨格部と可動状態で結合、各側面パネルはアルミ材質により製造されることを特徴とする。
【課題を解決するための手段】
【００１０】
請求項１の考案は、骨格部、二つの固定パネル及び側面パネルから構成された改良式パソコンケースにおいて、
天面パネル、底面パネル、及び天面パネルと底面パネル前後端縁間にそれぞれ設置される前面パネルと背面パネルを含み、それら天面パネル、底面パネル、前面パネル及び背面パネルはアルミ材質により製造されて、それぞれの天面パネル、底面パネル、前面パネル及び背面パネルはハンダ固着されている骨格部と、
骨格部内部の両側に設置され、間には必要なパソコン機器を設置したアルミ材質で製造される固定パネルと、
骨格部両側に設置され、少なくとも一枚は骨格部と可動状態で結合し、アルミ材質で製造される側面パネルとを具えることを特徴とする改良式パソコンケースとしている。
請求項２の考案は、請求項１記載の改良式パソコンケースにおいて、前記天面パネルの一面には放熱部を具えることを特徴とする改良式パソコンケースとしている。
請求項３の考案は、請求項２記載の改良式パソコンケースにおいて、前記放熱部は多数の凹凸部により構成されることを特徴とする改良式パソコンケースとしている。
請求項４の考案は、請求項１記載の改良式パソコンケースにおいて、前記底面パネルの一面には放熱部を具えることを特徴とする改良式パソコンケースとしている。
請求項５の考案は、請求項４記載の改良式パソコンケースにおいて、前記放熱部は多数の凹凸部により構成されることを特徴とする改良式パソコンケースとしている。
【考案の効果】
【００１１】
本考案の改良式パソコンケースは、アルミ材質によって作成されたパソコンケースが大きな放熱面積で良好な放熱効果をあげる改良式パソコンケースを提案することにある。
【００１２】
本考案の改良式パソコンケースは、アルミ材質によって作成されたパソコンケースを処分する場合は、分別リサイクル処理を簡単にする効果をあげる改良式パソコンケースを提案することにある。
【考案を実施するための最良の形態】
【００１３】
図1、２、３に、本考案に関する立体分解見取図、骨格部の立体外観見取図、骨格部と側面パネルの分解状態見取図を示す。図に示すとおり、本考案の改良式パソコンケースは、骨格部１、固定パネル２及び側面パネル３により構成され、強固なボディ構造を持たせるパソコンケースであり、使用時においては大きな放熱面積をもつパソコンケースが良好な放熱効果をあげ、また、処分時には分別リサイクル処理が簡単であるという特徴を持つ。
【００１４】
前記骨格部１は、それに相対する天面パネル１１、底面パネル１２、及び天面パネル１１と底面パネル１２前後端縁間にそれぞれ設置される前面パネル１３と背面パネル１４により構成されており、その天面パネル１１、底面パネル１２、前面パネル１３及び背面パネル１４はアルミ材質により製造され、また、その天面パネル１１、底面パネル１２、前面パネル１３及び背面パネル１４はハンダ固着され、その天面パネル１１及び底面パネル１２の一面には、多数の凹凸部１１２、１２２により構成される放熱部１１１、１２１を具える。
【００１５】
各固定パネル２は前述骨格部１内部の両側に設置されて、その二つの固定パネル２間には必要なパソコン機器を設置、固定パネル２はアルミ材質で製造する。
【００１６】
各側面パネル３は前述骨格部１両側に設置され、少なくとも一枚の側面パネル３は骨格部１と可動結合し、各側面パネル３はアルミ材質で製造する。上記構造により全く新しい改良式パソコンケースが構成される。
【００１７】
図２、図３及び図４に、本考案に関する骨格部の立体外観見取図、骨格部と側面パネルの分解状態見取図及び使用状態の断面見取図を示す。図に示すとおり、組み立てる場合は、アルミ材質で製造された天面パネル１１、底面パネル１２、前面パネル１３及び背面パネル１４をハンダ付け固着することにより、骨格部１ができあがり、その骨格部１に強固なボディ構造を持たせ、また、骨格部１内部の両側に固定パネル２を設置、二枚の固定パネル２内の空間は必要なパソコン機器を設置（図未表示）するためにある。
【００１８】
メンテナンス時に取り外しができるよう、少なくとも一枚の側面パネル３は骨格部１と可動状態で結合しており、パソコン本体が作動する場合、アルミ材質の骨格部１、二枚の固定パネル２及び二枚の側面パネル３に組み合わせられる天面パネル１１及び底面パネル１２の一面に放熱部１１１、１２１を設けるパソコンケースは、パソコン本体内から放出される熱を大きな面積によって放熱してその効果をあげる。また、パソコンケースを処分する場合、アルミ材質の骨格部１、二つの固定パネル２及び二つの側面パネル３は、パソコン本体を二種類（内部電子デバイスとパソコンケースの二種類）に分類できるので、分別回収が簡単にできる効果も持つ。
【００１９】
以上説明したように、本考案の改良式パソコンケースは、従来の多くの欠点を改善、パソコンケースに強固なボディ構造を持たせることができる。使用時はパソコンケースの持つ大きな放熱面積によって良好な放熱効果をあげ、パソコンケースを処分する場合は、分別リサイクル処理を簡単にする効果をあげることを特徴とする。
【図面の簡単な説明】
【００２０】
【図１】本考案に関する立体分解見取図である。
【図２】本考案に関する骨格部の立体外観見取図である。
【図３】本考案に関する骨格部と側面パネルの分解状態見取図である。
【図４】本考案に関する使用状態の断面見取図を示す。
【符号の説明】
【００２１】
１    骨格部
１１    天面パネル
１１１、１２１    放熱部
１１２、１２２    凹凸部
１２    底面パネル
１３    前面パネル
１４    背面パネル
２    固定パネル
３    側面パネル
【図１】
0003120049.tif 000003
【図２】
0003120049.tif 000004
【図３】
0003120049.tif 000005
【図４】
0003120049.tif 000006